(57)【要約】      （修正有）【課題】展示構造を有する弁当箱を提供する。【解決手段】盛り付けユニット１１と蓋体１２とを有する弁当箱１と、蓋体１２の盛り付けユニット１１に対応する一面に設けられ、水性プラスチックフィルムからなる展示領域２とが、含有される。これにより、蓋体１２の内面に、無毒で、接触粘着しなく、褪色しない展示領域２が設置され、上記展示領域２が、食物に接触しても、毒を釈放しなく、より良い識別性と美観性及び食用安全性が実現される。【選択図】図１
0003180535.tif 000002
【実用新案登録請求の範囲】
【請求項１】
盛り付けユニットと、対応して盛り付けユニットの一面に覆われる蓋体とを有する弁当箱と、
蓋体の盛り付けユニットに対応する一面に設けられ、少なくとも水性プラスチックフィルムを有する展示領域と、が含有されることを特徴とする展示構造を有する弁当箱。
【請求項２】
上記蓋体は、一側が盛り付けユニットの一側に結合されて、開き式弁当箱が形成されることを特徴とする請求項１に記載の展示構造を有する弁当箱。
【請求項３】
上記蓋体は、盛り付けユニットに直接に結合されて、重ね合い式弁当箱であることを特徴とする請求項１に記載の展示構造を有する弁当箱。
【請求項４】
上記弁当箱の盛り付けユニットは紙材質で、上記蓋体が、プラスチック材質であることを特徴とする請求項１に記載の展示構造を有する弁当箱。
【請求項５】
上記弁当箱の盛り付けユニットはプラスチック材質で、上記蓋体が紙材質であることを特徴とする請求項１に記載の展示構造を有する弁当箱。
【請求項６】
上記展示領域は、蓋体の内面に設けられる図柄部と、図柄部に覆われる保護層とが含有されることを特徴とする請求項１に記載の展示構造を有する弁当箱。
【請求項７】
上記図柄部は、蓋体の内面にスタンパ成形されたアナグリフ図柄で、上記保護層は、水性ポリオレフィンやＰＥ、ＰＰ、ＰＥＴ、ＰＬＡ、他の溶出しない材質、他の粘着しない材質或いは他の褪色しない材質で、ラミネート方式により図柄部に設けられることを特徴とする請求項６に記載の展示構造を有する弁当箱。
【請求項８】
上記図柄部は、蓋体内面にある水性インク層に積層され、上記保護層は、水性ポリオレフィンや他の溶出しない材質を、スタンパ方式で、図柄部に設けられることを特徴とする請求項６に記載の展示構造を有する弁当箱。
【請求項９】
上記図柄部は、蓋体内面にある水性インク層に積層され、上記保護層は、ＯＰＰや他の溶出しない材質を、張付き方式で、図柄部に設けられることを特徴とする請求項６に記載の展示構造を有する弁当箱。
【請求項１０】
上記図柄部は、文字や数字、図柄、幾何図柄或いは商標からなることを特徴とする請求項６に記載の展示構造を有する弁当箱。
【請求項１１】
上記展示領域は、蓋体内面に設けられた保護層と、保護層に積層された図柄部とが、含有されることを特徴とする請求項１に記載の展示構造を有する弁当箱。
【考案の詳細な説明】
【技術分野】
【０００１】
本考案は、展示構造を有する弁当箱に関し、特に、蓋体の内面に、無毒や接触粘着しない且つ褪色しない展示領域が設置され、上記展示領域が食物に接触しても、毒素を釈放しなく、より良い識別性や美観性及び食用安全性が向上されるものに関する。
【背景技術】
【０００２】
一般の従来の弁当箱は、箱体と、上記箱体に覆われて設けられた蓋体とから構成され、これにより、上記箱体に食物が盛り付けられた後、蓋体で箱体を覆い、上記弁当箱で食物を盛り付ける効果が実現される。
【０００３】
しかし、一般の従来の弁当箱は、蓋体の内面において、紙材に対して艶出するか、透明インクを塗布するか、上記艶出膜や透明インクが色無しの状態であるため、ユーザーが、上記蓋体の内面が無毒で安全な形態であると誤って認めるが、事実上そうでなく、上記透明インクが食物の熱源に接触すると、毒を釈放して、食物に水、油の隔離性が比較的に悪いから、蓋体内面から釈放された毒が粘着する恐れがあり、粘着されたものが透明インクであるから、ユーザーが察知しにくく、ユーザーに、艶出膜や透明インクが安全である誤解が発生し、しかしながら、事実はそうではなく、そのため、弁当箱の蓋体内面の材質を改善すれば、有効に毒の釈放が防止され、これにより、蓋体内面の識別性や美観性及び安全性が向上される。
【０００４】
本考案者は、上記欠点を解消するため、慎重に研究し、また、学理を活用して、有効に上記欠点を解消でき、設計が合理である展示構造を有する弁当箱を提案する。
【考案の開示】
【考案が解決しようとする課題】
【０００５】
本考案の主な目的は、蓋体の内面に、無毒で、接触粘着しなく、褪色しない展示領域を設置し、上記展示領域が食物に接触しても、毒を釈放しなく、より良い識別性や美観性及び食用安全性が向上される、展示構造を有する弁当箱を提供する。
【課題を解決するための手段】
【０００６】
本考案は、上記目的を達成するために、盛り付けユニットと蓋体を有する弁当箱と、蓋体において、盛り付けユニットの一面に対応して水性プラスチックフィルムからなる展示領域が、含有される展示構造を有する弁当箱である。
【０００７】
本考案の上記実施例によれば、上記蓋体の一側が盛り付けユニットの一側に結合されて、開き式弁当箱が形成される。
【０００８】
本考案の上記実施例によれば、上記蓋体が盛り付けユニットに直接に結合されて、重ね合い式弁当箱が形成される。
【０００９】
本考案の上記実施例によれば、上記弁当箱の盛り付けユニットは紙材質で、上記蓋体がプラスチック材質である。
【００１０】
本考案の上記実施例によれば、上記弁当箱の盛り付けユニットはプラスチック材質で、上記蓋体は紙材質である。
【００１１】
本考案の上記実施例によれば、上記展示領域は、蓋体内面に設けられた図柄部と、図柄部に積層された保護層とが、含有される。
【００１２】
本考案の上記実施例によれば、上記図柄部は、蓋体内面にスタンパ成形されたアナグリフ図柄で、上記保護層は、水性ポリオレフィンやＰＥ、ＰＰ、ＰＥＴ、ＰＬＡ、他の溶出しない材質、他の接触粘着しない材質或いは他の褪色しない材質で、ラミネート方式により図柄部に設けられる。
【００１３】
本考案の上記実施例によれば、上記図柄部は、蓋体内面に積層された水性インク層であり、上記保護層は、水性ポリオレフィン或いは他の溶出しない材質で、スタンパ方式により、図柄部に設けられる。
【００１４】
本考案の上記実施例によれば、上記図柄部は、蓋体内面に積層された水性インク層であり、上記保護層はＯＰＰや他の溶出しない材質で、張り付け方式により図柄部に設けられる。
【００１５】
本考案の上記実施例によれば、上記図柄部は、文字や数字、図柄、幾何図柄或いは商標である。
【００１６】
本考案の上記実施例によれば、上記展示領域は、蓋体内面に設けられた保護層と、保護層に積層された図柄部とが、含有される。
【００１７】
以下、図面を参照しながら、本考案の特徴や技術内容について、詳しく説明するが、それらの図面等は、参考や説明のためであり、本考案は、それによって制限されることが無い。
【図面の簡単な説明】
【００１８】
【図１】本考案の第一実施例の外観概念図である。
【図２】本考案の第一実施例の断面状態概念図である。
【図３】本考案の第二実施例の断面状態概念図である。
【図４】本考案の第三実施例の断面状態概念図である。
【図５】本考案の第三実施例の分解概念図である。
【図６】本考案の第四実施例の概念図である。
【考案を実施するための形態】
【００１９】
図１と図２は、それぞれ、本考案の第一実施例の外観概念図と、本考案の第一実施例の断面状態概念図である。図のように、本考案は、展示構造を有する弁当箱であり、少なくとも、弁当箱１と、展示領域２とから構成される。
【００２０】
上記の弁当箱１は、盛り付けユニット１１と、対応して盛り付けユニット１１の一面に覆われる蓋体１２と、が含有され、上記盛り付けユニット１１は、紙材質やプラスチック材質であり、上記蓋体１２は紙材質やプラスチック材質でもあり、上記蓋体１２の一側が盛り付けユニット１１の一側に結合され、開き式弁当箱（例えば、弁当箱やハンバーグボックス）が形成され、また、上記蓋体１２が盛り付けユニット１１に直接に結合されてもよく、重ね合い式弁当箱（例えば、上、下嵌合式の弁当箱）が形成され、本考案において弁当箱を実施例とする。
【００２１】
上記展示領域２は蓋体１２において、盛り付けユニット１１に対応する一面に設けられ、上記展示領域２が、水性プラスチックフィルムである。これにより、新規の展示構造を有する弁当箱が構成される。
【００２２】
本考案によれば、上記展示領域２は、蓋体１２の内面に設けられた図柄部２１と、図柄部２１に積層された保護層２２と、が含有され、上記図柄部２１は、蓋体１２の内面にスタンパ成形されたアナグリフ図柄であり、上記保護層２２は、水性ポリオレフィンやＰＥ、ＰＰ、ＰＥＴ、ＰＬＡ、他の溶出しない材質、他の接触粘着しない材質或いは他の褪色しない材質で、ラミネート方式により、図柄部２１に設けられ、上記図柄部２２は、文字や数字、図柄、幾何図柄或いは商標であり、そのため、弁当箱１の盛り付けユニット１１に、必要とする食物が盛り付けられ、そして、蓋体１２を、対応して、盛り付けユニット１１の一面に覆うことにより、盛り付けユニット１１が閉鎖され、また、上記保護層２２が、水性ポリオレフィンやＰＥ、ＰＬＡ或いは他の溶出しない材質からなる水性プラスチックフィルムであるため、蓋体１２の内面にある展示領域２が、盛り付けユニット１１内の食物に接触しても、毒が釈放されず、ユーザーが、弁当箱１内の食物を食用する時、直接に、上記蓋体１２を開いて、盛り付けユニット１１から、食物を食べ、それとともに、食物をとりながら、展示領域２の図柄部２１に表示された文字や数字、図柄、幾何図柄或いは商標を閲覧でき、廣告や宣伝等の効果が得られ、そのため、本考案は、より良い識別性や美観性及び食用安全性が向上され、また、上記展示領域２の保護層２２が、蓋体１２の内面に設置され、上記図柄部２１が、保護層２２に積層され、そのため、本考案は、より実用的になる。
【００２３】
図３は、本考案の第二実施例の断面状態概念図である。図のように、本考案は、上記第一実施例に係る装置形態の他に、本第二実施例の装置形態でもよく、上記展示領域２ａの図柄部２１ａが蓋体１２内面に積層された水性インク層で、上記保護層２２ａが水性ポリオレフィンや他の溶出しない材質で、スタンパ方式により、図柄部２１ａに設置される箇所が異なり、これにより、同じように、上記第一実施例の効果が得られ、また、本考案が、より実用的なものになる。
【００２４】
図４と図５は、それぞれ、本考案第三実施例の断面状態概念図と本考案第三実施例の分解概念図である。図のように、本考案は、上記第一と第二実施例の装置形態の他に、本第三実施例の装置形態でもよく、上記展示領域２ｂの図柄部２１ｂが、蓋体１２内面に積層された水性インク層で、上記保護層２２ｂが、ＯＰＰや他の溶出しない材質で、張り付け方式によい、図柄部２１ｂに設けられる箇所が、異なり、これにより、同じように、上記第一実施例の効果が得られ、また、本考案は、より実用的なものになる。
【００２５】
図６は、本考案の第四実施例の概念図である。図のように、本考案は、上記第一と第二及び第三の実施例の装置形態の他に、本第実四施例の装置形態でもよく、上記弁当箱１ａが、椀状体で、上記蓋体１２ａが、弁当箱１ａの周縁に張り付けられ、上記展示領域２ｃが、蓋体１２ａの内面に設置され、これにより、本考案が、カップヌードに適用でき、これにより、同じように、上記第一実施例の効果が得られ、本考案は、より実用的なものになる。
【００２６】
以上のように、本考案に係る展示構造を有する弁当箱によれば、有効に、従来の諸欠点を解消でき、蓋体の内面に、無毒で、接触粘着しなく、褪色しない展示領域が設置され、上記展示領域が、食物に接触しても、毒を釈放しなく、より良い識別性や美観性及び食用安全性が実現され、そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２８】
１、１ａ              弁当箱
１１                  盛り付けユニット
１２，１２ａ          蓋体
２、２ａ、２ｂ、２ｃ  展示領域
２１、２１ａ、２１ｂ  図柄部
２２、２２ａ、２２ｂ  保護層
【図１】
0003180535.tif 000003
【図２】
0003180535.tif 000004
【図３】
0003180535.tif 000005
【図４】
0003180535.tif 000006
【図５】
0003180535.tif 000007
【図６】
0003180535.tif 000008
【手続補正書】
【提出日】平成24年10月25日(2012.10.25)
【手続補正１】
【補正対象書類名】実用新案登録請求の範囲
【補正対象項目名】請求項１
【補正方法】変更
【補正の内容】
【請求項１】
盛り付けユニットと、対応して盛り付けユニットの一面に覆われる蓋体とを有する弁当箱であって、
蓋体の盛り付けユニットに対応する一面に設けられ、少なくとも水性プラスチックフィルムを有する展示領域を備えることを特徴とする展示構造を有する弁当箱。
【手続補正２】
【補正対象書類名】実用新案登録請求の範囲
【補正対象項目名】請求項８
【補正方法】変更
【補正の内容】
【請求項８】
上記図柄部は、蓋体内面にある水性インク層であり、上記保護層は、水性ポリオレフィンや他の溶出しない材質で形成された水性プラスチックフィルムを、スタンパ方式で、図柄部に設けられることを特徴とする請求項６に記載の展示構造を有する弁当箱。
【手続補正３】
【補正対象書類名】実用新案登録請求の範囲
【補正対象項目名】請求項９
【補正方法】変更
【補正の内容】
【請求項９】
上記図柄部は、蓋体内面にある水性インク層に積層され、上記保護層は、ＯＰＰや他の溶出しない材質で形成された水性プラスチックフィルムを、張付き方式で、図柄部に設けられることを特徴とする請求項６に記載の展示構造を有する弁当箱。
【手続補正４】
【補正対象書類名】明細書
【補正対象項目名】００２３
【補正方法】変更
【補正の内容】
【００２３】
図３は、本考案の第二実施例の断面状態概念図である。図のように、本考案は、上記第一実施例に係る装置形態の他に、本第二実施例の装置形態でもよく、上記展示領域２ａの図柄部２１ａが蓋体１２内面に積層された水性インク層で、上記保護層２２ａが水性ポリオレフィンや他の溶出しない材質で形成された水性プラスチックフィルムで、スタンパ方式により、図柄部２１ａに設置される箇所が異なり、これにより、同じように、上記第一実施例の効果が得られ、また、本考案が、より実用的なものになる。
【手続補正５】
【補正対象書類名】明細書
【補正対象項目名】００２４
【補正方法】変更
【補正の内容】
【００２４】
図４と図５は、それぞれ、本考案第三実施例の断面状態概念図と本考案第三実施例の分解概念図である。図のように、本考案は、上記第一と第二実施例の装置形態の他に、本第三実施例の装置形態でもよく、上記展示領域２ｂの図柄部２１ｂが、蓋体１２内面に積層された水性インク層で、上記保護層２２ｂが、ＯＰＰや他の溶出しない材質で形成された水性プラスチックフィルムで、張り付け方式によい、図柄部２１ｂに設けられる箇所が、異なり、これにより、同じように、上記第一実施例の効果が得られ、また、本考案は、より実用的なものになる。